(57)【要約】【課題】アンテナ信号から所望の放送波の信号を選局するアンテナユニットに関し、アンテナ端子を増加させることなく、複数の放送方式の選局できるチューナユニットを提供することを目的とする。【解決手段】本発明は地上ディジタル放送と衛星ディジタル放送を同時受信するチューナ部（１１２）を有するチューナユニットであって、アンテナ入力端子（Ｔain）と、アンテナ出力端子（Ｔaout）と、アンテナ入力端子（Ｔain）に入力された信号をアンテナ出力端子（Ｔaout）及びチューナ部（１１２）に分配する分配部（１１１）とを有することを特徴とする。【選択図】図１
2007124579.tif 000002
【特許請求の範囲】
【請求項１】
地上ディジタル放送と衛星ディジタル放送を同時受信するチューナ部を有するチューナユニットであって、
アンテナ入力端子と、
アンテナ出力端子と、
前記アンテナ入力端子に入力された信号を前記アンテナ出力端子及び前記チューナ部に分配する分配部とを有することを特徴とするチューナユニット。
【請求項２】
前記アンテナ入力端子には、前記地上ディジタル放送波の信号と前記衛星ディジタル放送波の信号とが混合された混合アンテナ信号が供給されており、
前記分配部は、前記混合アンテナ信号を分配して、一方を前記アンテナ出力端子に供給する分配回路と、
前記分配回路で分配された前記混合アンテナ信号の他方が供給され、前記地上ディジタル放送波の信号と前記衛星ディジタル放送波の信号に分波して、前記チューナ部に供給する分波回路とを有することを特徴とする請求項１記載のチューナユニット。
【請求項３】
前記チューナ部は、前記分波回路で分波された前記地上ディジタル放送波の信号から所望の放送波を選局する地上ディジタル放送用チューナ部と、前記分波回路で分波された前記衛星ディジタル放送波の信号から所望の放送波を選局する衛星ディジタル放送用チューナ部とを有することを特徴とする請求項２記載のチューナユニット。
【発明の詳細な説明】
【技術分野】
【０００１】
本発明はチューナユニットに係り、特に、アンテナ信号から所望の放送波の信号を選局するアンテナユニットに関する。
【背景技術】
【０００２】
近年、ディジタル放送が発達している。ディジタル放送としては主に、地上波ディジタル放送とＢＳ／１００度ＣＳ放送が上げられる。チューナユニットには地上波ディジタル放送とＢＳ／１００度ＣＳ放送を選局できることが望まれている。このとき、地上波ディジタル放送とＢＳ／１００度ＣＳ放送とはその周波数帯域が異なり、別々の受信回路を必要としていた。
【０００３】
チューナユニットの小型化のため、地上波ディジタル放送とＢＳ／１００度ＣＳ放送とでチューナユニットを一体化したチューナユニットが開発されていた（例えば、特許文献１参照）。
【特許文献１】特開平１１−３４１３７３号公報
【発明の開示】
【発明が解決しようとする課題】
【０００４】
チューナユニットをテレビジョン或いはビデオレコーダなどに搭載する場合、一般にビデオレコーダやテレビジョンなどにアンテナを接続するためにアンテナ入力端子とアンテナ出力端子が設けられている。このため、地上波ディジタル放送とＢＳ／１００度ＣＳ放送とを受信可能な一体型チューナユニットではアンテナ端子を地上波ディジタル放送用アンテナ入力端子、地上波ディジタル放送用アンテナ出力端子、及び、ＢＳ／１００度ＣＳ放送用アンテナ入力端子、ＢＳ／１００度ＣＳ放送用アンテナ出力端子が必要となる。このため、チューナユニットが大型化し、これに伴ってチューナユニットを搭載する機器も大型化するなどの課題が発生する。
【０００５】
本発明は上記の点に鑑みてなされたもので、アンテナ端子を増加させることなく、複数の放送方式の選局できるチューナユニットを提供することを目的とする。
【課題を解決するための手段】
【０００６】
本発明は地上ディジタル放送と衛星ディジタル放送を同時受信するチューナ部（１１２）を有するチューナユニットであって、アンテナ入力端子（Ｔain）と、アンテナ出力端子（Ｔaout）と、アンテナ入力端子（Ｔain）に入力された信号をアンテナ出力端子（Ｔaout）及びチューナ部（１１２）に分配する分配部（１１１）とを有することを特徴とする。
【０００７】
アンテナ入力端子（Ｔain）には、地上ディジタル放送波の信号と衛星ディジタル放送波の信号とが混合された混合アンテナ信号が供給されており、分配部（１１１）は、混合アンテナ信号を分配して、一方をアンテナ出力端子（Ｔaout）に供給する分配回路（１２２）と、分配回路（１２２）で分配された混合アンテナ信号の他方が供給され、地上ディジタル放送波の信号と衛星ディジタル放送波の信号に分波して、チューナ部（１１２）に供給する分波回路（１２３）とを有することを特徴とする。
【０００８】
チューナ部（１１２）は、分波回路（１２３）で分波された地上ディジタル放送波の信号から所望の放送波を選局する地上ディジタル放送用チューナ部（１４１）と、分波回路で分波された衛星ディジタル放送波の信号から所望の放送波を選局する衛星ディジタル放送用チューナ部（１４２）とを有することを特徴とする。
【０００９】
なお、上記参照符号はあくまでも参考であり、これによって、特許請求の範囲の記載が限定されるものではない。
【発明の効果】
【００１０】
本発明によれば、アンテナ入力端子に入力された信号をアンテナ出力端子及びチューナ部に分配する分配部をチューナユニットに一体化することにより、アンテナ端子を増加させることなく、複数の放送方式の選局でき、また、チューナユニットの大型化を抑制できる。
【発明を実施するための最良の形態】
【００１１】
〔チューナユニット〕
図１は本発明のチューナユニットの一実施例のブロック構成図を示す。
【００１２】
本実施例のチューナユニット１００は、地上ディジタル放送、衛星ディジタル放送から所望のチャンネルを選局するためのユニットであり、分配部１１１、チューナ部１１２が搭載された回路基板１１３をシールドケース１１４に収納して、一体化した構成とされている。
【００１３】
アンテナ入力端子Ｔain及びアンテナ出力端子Ｔaoutは同軸ケーブルが接続可能なＦ型コネクタから構成され、シールドケース１１４の外側面から突出して設けられている。アンテナ入力端子Ｔainには同軸ケーブルが接続され、同軸ケーブルから地上ディジタル放送波信号と衛星ディジタル放送波信号とを混合した信号が供給される。アンテナ入力端子Ｔainに供給された混合信号は、分配部１１１に供給される。
【００１４】
〔分配部１１１〕
図２は分配部１１１のブロック構成図を示す。
【００１５】
分配部１１１はバンドパスフィルタ１２１、分配回路１２２、分波回路１２３から構成されている。アンテナ入力端子Ｔainに供給された混合信号は、まず、バンドパスフィルタ１２１に供給される。バンドパスフィルタ１２１は、混合信号から地上ディジタル放送波及び衛星ディジタル放送波の両方の周波数帯域を含む周波数成分を通過させる。
【００１６】
バンドパスフィルタ１２１を通過した混合信号は、分配回路１２２に供給される。分配回路１２２は、アンテナ入力端子Ｔainに供給された混合信号を分配して、アンテナ出力端子Ｔaout及び分波器１２３に供給する。
【００１７】
分波器１２３は、分配回路１３１、ローパスフィルタ１３２、ハイパスフィルタ１３３、高周波アンプ１３４、１３５から構成されている。分配回路１３１で分配された混合信号は、ローパスフィルタ１３２及びハイパスフィルタ１３３の両方に供給される。ローパスフィルタ１３２は、供給された混合信号のうち低周波数帯域成分である地上ディジタル放送の信号成分を通過させる。ローパスフィルタ１３２を通過した信号は、高周波アンプ１３４に供給される。高周波アンプ１３４は、ローパスフィルタ１３２を通過した信号を増幅し、チューナ部１１２に供給する。
【００１８】
また、ハイパスフィルタ１３３は、供給された混合信号のうち高周波数帯域成分である衛星放送の信号成分を通過させる。ハイパスフィルタ１３３を通過した信号は、高周波アンプ１３５に供給される。高周波アンプ１３５は、ハイパスフィルタ１３３を通過した信号を増幅し、チューナ部１１２に供給される。
【００１９】
〔チューナ部１１２〕
図３はチューナ部１１２のブロック構成図を示す。
【００２０】
チューナ部１１２は、地上ディジタル放送用チューナ部１４１、衛星ディジタル放送用チューナ部１４２、復調回路部１４３から構成されている。
【００２１】
〔地上ディジタル放送用チューナ部１４１〕
地上ディジタル放送用チューナ部１４１は、ＶＬ帯域、ＶＨ帯域、ＵＨＦ帯域の地上ディジタル放送の信号から所望のチャンネルを選局するための回路であり、アンテナ同調回路１５１、高周波同調回路１５２、周波数変換回路１５３、ＩＦ信号処理回路１５４から構成されている。
【００２２】
アンテナ同調回路１５１は、バンドパスフィルタ１６１〜１６３から構成されている。
【００２３】
バンドパスフィルタ１６１は、高周波アンプ１３４から供給された信号よりＶＬ帯域の信号成分を通過させる。バンドパスフィルタ１６２は、高周波アンプ１３４から供給された信号よりＶＨ帯域の信号成分を通過させる。バンドパスフィルタ１６３は、高周波アンプ１３４から供給された信号よりＵＨＦ帯域の信号成分を通過させる。バンドパスフィルタ１６１〜１６３を通過した信号は、高周波同調回路１５２に供給される。
【００２４】
高周波同調回路１５２は、ＡＧＣアンプ１７１〜１７３、バンドパスフィルタ１７４〜１７６から構成されている。ＡＧＣアンプ１７１は、バンドパスフィルタ１６１を通過した信号を増幅する。ＡＧＣアンプ１７２は、バンドパスフィルタ１６２を通過した信号を増幅する。ＡＧＣアンプ１７３は、バンドパスフィルタ１６３を通過した信号を増幅する。
【００２５】
ＡＧＣアンプ１７１で増幅された信号は、バンドパスフィルタ１７４に供給される。バンドパスフィルタ１７４は、ＶＬ帯域の信号成分を通過させ、周波数変換回路１５３に供給する。ＡＧＣアンプ１７２で増幅された信号は、バンドパスフィルタ１７５に供給される。バンドパスフィルタ１７５は、ＶＨ帯域の信号成分を通過させ、周波数変換回路１５３に供給する。ＡＧＣアンプ１７３で増幅された信号は、バンドパスフィルタ１７６に供給される。バンドパスフィルタ１７６は、ＵＨＦ帯域の信号成分を通過させ、周波数変換回路１５３に供給する。
【００２６】
周波数変換回路１５３は、ＰＬＬ回路、ＶＣＯ回路、ミキサ回路などから構成されており、復調回路部１４３からの選局信号に応じた周波数で発振を行い、バンドパスフィルタ１７４〜１７６から供給される高周波信号にミキシングすることにより高周波信号のうち所望のチャンネルの成分を所定の中間周波数に変換する。周波数変換回路１５３で中間周波数に変換された信号は、ＩＦ信号処理回路１５４に供給される。
【００２７】
ＩＦ信号処理回路１５４は、ＳＡＷフィルタ１８１、１８２、アンプ１８３、１８４から構成されている。周波数変換回路１５３で中間周波数に変換された信号は、ＳＡＷフィルタ１８１に供給され、不要成分が除去された後、アンプ１８３に供給される。アンプ１８３は、ＳＡＷフィルタ１８１により不要成分が除去された信号を増幅する。アンプ１８３により増幅された信号は、ＳＡＷフィルタ１８２に供給される。ＳＡＷフィルタ１８２は、アンプ１８３により増幅された信号から不要成分を除去する。
【００２８】
ＳＡＷフィルタ１８２で不要成分が除去された信号は、アンプ１８４に供給される。アンプ１８４は、復調回路部１４３から供給されるＡＧＣ信号によって出力信号の振幅が一定となるようにゲインが制御される。アンプ１８４の出力信号は、復調回路部１４３に供給される。
【００２９】
〔衛星ディジタル放送用チューナ部１４２〕
衛星ディジタル放送用チューナ部１４２は、衛星ディジタル放送の信号から所望のチャンネルを選局するための回路であり、高周波信号処理回路１９１、周波数変換回路１９２から構成されている。
【００３０】
高周波信号処理回路１９１は、バンドパスフィルタ２０１、２０２、アンプ２０３、２０４、アッテネータ２０５、２０６から構成されている。分配部１１１の高周波アンプ１３５から出力された信号は、まず、バンドパスフィルタ２０１に供給される。バンドパスフィルタ２０１は、高周波アンプ１３５からの信号から不要成分を除去し、アンプ２０３に供給する。アンプ２０３は、バンドパスフィルタ２０１からの信号を増幅し、アッテネータ２０５に供給する。
【００３１】
アッテネータ２０５は、復調回路部１４３からのＡＧＣ信号に応じてアンプ２０３からの信号を減衰させ、バンドパスフィルタ２０２に供給する。バンドパスフィルタ２０２は、アッテネータ２０５からの信号から不要成分を除去し、アンプ２０４に供給する。アンプ２０４は、バンドパスフィルタ２０２からの信号を増幅し、アッテネータ２０６に供給する。
【００３２】
アッテネータ２０６は、復調回路部１４３からのＡＧＣ信号に応じてアンプ２０４からの信号を減衰させ、周波数変換回路１９２に供給する。周波数変換回路１９２は、ＰＬＬ回路、ＶＣＯ回路、ミキサ回路などから構成されており、復調回路部１４３からの選局信号に応じた周波数で発振を行い、アッテネータ２０６から供給される高周波信号にミキシングすることにより高周波信号のうち所望のチャンネルの成分をベースバンドに変換する。周波数変換回路１９２でベースバンドに変換された信号は、復調回路部１４３に供給される。
【００３３】
復調回路部１４３は、制御端子Ｔinから供給されるチャンネル選択信号に基づいて周波数変換回路１５３、１９２を制御して、所望のチャンネルのＩＦ信号を地上放送用チューナ部１４１及び衛星放送用チューナ部１４２から取得し、地上ディジタル放送用チューナ部１４１及び衛星ディジタル放送用チューナ部１４２から供給されたＩＦ信号からディジタル映像信号を復調し、出力端子Ｔoutから出力する。
【００３４】
シールドケース１１４は、金属板を打ち抜き、折曲することにより成形されており、回路基板１１３に搭載された分配部１１１及びチューナ部１１２が収納される。分配部１１１、チューナ部１１２とは、その間に配置されたシールド板によって互いに分離される。また、チューナ部１１２は、アンテナ同調回路１５１、高周波同調回路１５２、周波数変換回路１５３、高周波信号処理回路１９１、周波数変換回路１９２、ＩＦ信号処理回路１５４を含む復調回路部１４３がその間に配置されたシールド板によって分離される。
【００３５】
チューナ部１１２に設けられた地上ディジタル放送用チューナ部１４１と衛星ディジタル放送用チューナ部１４２とは、同時受信が可能であり、地上ディジタル放送と衛星ディジタル放送の両方を一度に受信することができる。
【００３６】
なお、アンテナ入力端子Ｔain及びアンテナ出力端子Ｔaoutは、分配部１１１と外部とを分離するシールド板から外方に突出している。
【００３７】
〔効果〕
本実施例によれば、アンテナ入力端子Ｔainに入力された信号をアンテナ出力端子Ｔaout及びチューナ部１１２に分配する分配部１１１をチューナユニット１００に一体化することにより、機器に搭載するときに新たに分配器を設ける必要がなく、機器への搭載が容易になる。
【００３８】
また、本実施例のチューナユニット１００は、アンテナとの接続を行なう端子がアンテナ入力端子Ｔain、アンテナ出力端子Ｔaoutだけであり、従来の端子構成と同様であるので、従来のユニットと略同等のサイズでユニット化できる。よって、アンテナ端子を増加させることなく、複数の放送方式の選局でき、また、チューナユニットの大型化を抑制できる。
【００３９】
〔適用例〕
図４は本発明の一実施例の適用例の斜視図を示す。
【００４０】
チューナユニット１００は、機器の回路基板２１１の端部に搭載される。チューナユニット１００が搭載された回路基板２１１は、機器のケース２１２の内部に収納される。このとき、チューナユニット１００のアンテナ入力端子Ｔain、Ｔaoutは、機器のケース２１２から外方に突出して設けられる。
【００４１】
このとき、本実施例のチューナユニット１００は、アンテナ端子がアンテナ入力端子Ｔain及びアンテナ出力端子Ｔaoutだけであるので、機器のアンテナ端子を増加させることなく、機器に搭載でき、よって、機器を大型化する必要がない。
【図面の簡単な説明】
【００４２】
【図１】本発明のチューナユニットの一実施例のブロック構成図である。
【図２】分配部１１１のブロック構成図である。
【図３】チューナ部１１２のブロック構成図である。
【図４】本発明の一実施例の適用例の斜視図である。
【符号の説明】
【００４３】
１００  チューナユニット
１１１  分配部、１１２  チューナ部、１１３  回路基板、１１４  シールドケース
１２１  バンドパスフィルタ、１２２  分配回路、１２３  分波回路
１３１  分配回路、１３２  ローパスフィルタ、１３３  ハイパスフィルタ
１３４、１３５  高周波アンプ
１４１  地上ディジタル放送用チューナ部、１４２  衛星ディジタル放送用チューナ部
【図１】
2007124579.tif 000003
【図２】
2007124579.tif 000004
【図３】
2007124579.tif 000005
【図４】
2007124579.tif 000006